(57)【特許請求の範囲】
【請求項１】
充放電可能な二次電池または直流電源部の２つの端子同士を短絡するように設けられる複数個の発光ダイオードを直列に接続して電源電圧値よりも大きい合計順方向下降電圧値を有する発光ダイオードアレイを備えてなることを特徴とする電源アダプタ。
【請求項２】
充放電可能な二次電池または直流電源部の２つの端子同士を短絡するように設けられる複数個の発光ダイオードを直列に接続して電源電圧値よりも所要大きい合計順方向下降電圧値を有する発光ダイオードアレイを複数並列に有する回路からなることを特徴とする電源アダプタ。
【請求項３】
充放電可能な二次電池または直流電源部と、請求項１または２に記載の電源アダプタとを備え、電源電圧が発光ダイオードのアノード側から印加することを特徴とする直流電源装置。
【請求項４】
交流電源部の２つの端子と、負荷抵抗の２つの端子同士を短絡するように設けられる複数個の発光ダイオードを直列に接続して電源電圧値×√２よりも所要大きい合計順方向下降電圧値を有する発光ダイオードアレイを備えてなることを特徴とする電源アダプタ。
【請求項５】
交流電源部の２つの端子と、負荷抵抗の２つの端子同士を短絡するように設けられる複数個の発光ダイオードを直列に接続して電源電圧値×√２よりも所要大きい合計順方向下降電圧値を有する発光ダイオードアレイを複数並列に有する回路からなることを特徴とする電源アダプタ。
【請求項６】
交流電源部と、請求項４または５に記載の電源アダプタとを備えたことを特徴とする交流電源装置。
【発明の詳細な説明】
【技術分野】
【０００１】
本発明はたとえば電源アダプタ、直流電源装置および交流電源装置、並びに半導体利用活性化装置に係り、特に二次電池に経時的に累積的影響を与える、電源アダプタ、直流電源装置および交流電源装置、並びに半導体利用活性化装置に関する。
【背景技術】
【０００２】
一般的に、充放電可能な電池において、充放電サイクルの増加や経年劣化により、電池の正負極の活物質や電解液等が変化して、電池の内部抵抗が増加すると共に電池容量が減少してしまう。充放電可能な電池の内部抵抗とは、正負極セパレータ部分のイオン電導抵抗や、正極、負極の電荷移動抵抗、正負極活物質粒子内部でのイオンの拡散遅れによる抵抗など、複数の抵抗要因が組み合わさったものである。電池の内部抵抗が増加すると電池の劣化を招来してしまう。また、電池の電池容量とは、充放電可能な残存容量のことであり、電池容量の低下は充放電性能の低下に他ならない。
【０００３】
従来から、電池の内部抵抗や電池容量は、電池の状態を把握するためのパラメータとして重視されており、これらを監視して電池状態をチエックしている。特に内部抵抗の値から電池セルの個々のばらつきを計測し、製造時の不良品検査や電池交換時期等に利用できるため、重要なパラメータとして高精度に内部抵抗を把握することが求められている。同様に、一般の交流電源や直流電源においても電源の内部抵抗を計測することや、内部抵抗を低減することが求められている。
【０００４】
電源の内部抵抗を低減する方法としては、電源内部の構造や組成を改良することにより内部抵抗を低減している。特許文献１には、電池電源の内部抵抗を低減するため、所定の化合物を所定量以上に含む非電解駅を用いた非水系二次電池を作製して内部抵抗を低減させている技術思想が開示されている。同文献に開示される技術思想においては、電源内部の構造や組成を改良することにより内部抵抗を低減しているが、電源自体を改良せねばならず簡単ではない。
【先行技術文献】
【特許文献】
【０００５】
【特許文献１】特開２０１６−２１９２０４号公報
【発明の概要】
【発明が解決しようとする課題】
【０００６】
このように、従来技術においては、電源内部の構造や組成を改良して電源の内部抵抗を低減することは簡単ではない。また、既存の電源の内部抵抗を低減する手段については、現状、新技術の開示は見られない。
【０００７】
本発明は、上述した問題点を解決するためのもので、電源の構造や組成を変更することなく、電源の外部に付加する形で電源の内部抵抗を低減する電源アダプタ、直流電源装置および交流電源装置を提供することを第１の課題とする。本発明の第２の課題は、さらに、そこから発想を展開して、半導体の性質を利用して二次電池を活性化することの可能な利用活性化装置を提供することである。
【課題を解決するための手段】
【０００８】
上記の第１の課題を解決するために、本発明者は色々な方法を試みた。種々の試行の結果、発光ダイオード（以下、「ＬＥＤ」と略記する。）の障壁電圧の和が電源電圧以上になるよう当該ＬＥＤを電源アダプタとして電源の出力端に付加することにより、電源内部抵抗を低減できることを発見した。本発明はこの発見に着眼したものである。
【０００９】
上記の第１の課題を解決するために、本願発明の第１の態様に係る直流用の電源アダプタは、充放電可能な二次電池または直流電源部の２つの端子同士を短絡するように設けられる複数個の発光ダイオードを直列に接続して電源電圧値よりも所要大きい合計順方向下降電圧値を有する発光ダイオードアレイを備えてなることを特徴とする。
【００１０】
また、上記の第１の課題を解決するために、本願発明の第２の態様に係る直流用の電源アダプタは、充放電可能な二次電池または直流電源部の２つの端子同士を短絡するように設けられる複数個の発光ダイオードを直列に接続して電源電圧値よりも所要大きい合計順方向下降電圧値を有する発光ダイオードアレイを複数並列に有する回路を備えてなることを特徴とする。
【００１１】
本願発明の第３の態様に係る直流電源装置として、充放電可能な二次電池または直流電源部と、上記第１または第２の態様の直流用の電源アダプタとを備え、電源電圧が発光ダイオードのアノード側から印加する構成をとることもできる。
【００１２】
また、上記の第１の課題を解決するために、本願発明の第４の態様に係る交流用の電源アダプタは、交流電源部の２つの端子と、負荷抵抗の２つの端子とを閉回路を構成するように接続する２本の給電線の各中間点同士を短絡するように設けられる複数個の発光ダイオードを直列に接続して電源電圧値×√２よりも所要大きい合計順方向下降電圧値を有する発光ダイオードアレイを備えてなることを特徴とする。
【００１３】
さらにまた、上記の第１の課題を解決するために、本願発明の第５の態様に係る交流用の電源アダプタは、交流電源部の２つの端子同士を短絡するように設けられる複数個の発光ダイオードを直列に接続して電源電圧値×√２よりも所要大きい合計順方向下降電圧値を有する発光ダイオードアレイを複数並列に有する回路を備えてなることを特徴とする。
【００１４】
本願発明のまた別の態様としての交流電源装置は、交流電源部と、第４または第５の態様に係る交流用の電源アダプタとを備えたことを特徴とする。
【００１５】
本発明者は、上記の知見をさらに深く考察し思考を発展させた。その結果、ＬＥＤを使って、光っていない状態に着目した。すなわち、これまでは誰も着目していなかった、ＬＥＤ（もしくはもっと広く、半導体一般）の電流がいわゆる「流れていない」状態が、これに繋がっている充放電可能電池に対して何らかの影響を及ぼしている、ということを発見したところに本願の主眼が存在することに想到した。
【００１６】
すなわち、上記の第２の課題を解決するために、本願発明のまた別の態様に係る半導体利用活性化装置は、充放電可能電池と、前記充放電可能電池の＋側に接続されるアノード及び該電池の−側に接続されるカソードを持った半導体と、前記半導体の電流のＯＦＦ状態における該半導体が前記充放電可能電池に対して与える活性化影響が経時的に蓄積される手段とを備えてなる。
【００１７】
ここで、「ＯＦＦ状態」とは、電流値がゼロからＯＮになるまでの一定時間における該半導体の状態をいい、たとえば、図４における、Ａ〜Ｂの間の状態をいう。これまでの技術思想においては、半導体に電流が流れ始めるまでのこの状態には積極的役割が認識されていなかった。これに対して本願は、種々の実験及び検証によって、このＯＦＦ状態において、半導体が充放電可能電池に対して、一定の時間に亘って累積的に及ぼす影響（現象）の存在を確認したうえで、当該影響に着目し、この影響が各種機器等を活性化させる能力を持つことを発見し、これを基に産業上の利用価値を発生させる装置を創造したものである。
【００１８】
また、上記構成において、半導体としては、ＬＥＤに限られるものではなく、あらゆる種類の半導体を含み得、また、充放電可能電池としては、鉛蓄電池、リチウムイオン二次電池、リチウムイオンポリマー二次電池、ニッケル・水素蓄電池、ニッケル・カドミウム蓄電池、ニッケル・鉄蓄電池（エジソン電池）、ニッケル・亜鉛蓄電池、酸化銀・亜鉛蓄電池、コバルトチタンリチウム二次電池で代表される一般型、レドックス・フロー電池、亜鉛・塩素電池、亜鉛・臭素電池で代表される液循環型、アルミニウム・空気電池、空気亜鉛電池、空気・鉄電池で代表されるメカニカルチャージ型、ナトリウム・硫黄電池、リチウム・硫化鉄電池で代表される高温動作型のいずれをも含み得るし、また、これらに限定されるものでもない。
【００１９】
上記構成を備える当該別の態様に係る半導体利用活性化装置によれば、半導体のＯＦＦ状態の経時的累積影響により、充放電可能電池が再活性化される。
【発明の効果】
【００２０】
本発明の一態様によれば、電源の構造や組成を変更することなく、電源の外部に付加する形で電源の内部抵抗を低減する電源アダプタ、直流電源装置および交流電源装置を提供することができる。
【００２１】
そのため、従来使用されている既存の電源に容易に適用することができる。即ち、本発明の一態様に係る電源アダプタを出力端に接続することにより多くの電源電流を流すことができ。このため、消耗しかかって内部抵抗が増大し、電流容量が減少してしまった電池の出力端に、本発明の電源アダプタを取付ければ電流容量が復活増大して延長使用することができる。
【００２２】
ＤＣ電源ばかりでなく、ＡＣ電源の内部抵抗も低減できるため、電源に乗るノイズを低減できると考えられ、音響機器電源に本発明を適用すれば音響改善を達成することができる。同様に、映像機器電源に本発明を適用すれば映像品質の改善が期待できる。
【００２３】
また、後述するバッテリ電源のＣＣＡについても大幅な改善効果が見られ、今後大きな発展が予想される電気自動車に対して大きな貢献をもたらす効果が期待できる。
【図面の簡単な説明】
【００２４】
【図１】発光ダイオードの電流−電圧特性図を示す図である。
【図２】本発明の第１実施形態に係る電源アダプタ１０の基本構成を示す図である。
【図３】本発明の第２実施形態に係る電源アダプタ１０Ａの基本構成を示す図である。
【図４】本発明の第３の実施形態に係り、発光ダイオードの電流−電圧特性図において、ＯＦＦ状態を説明するための概念図である。
【発明を実施するための形態】
【００２５】
以下、図面を参照して本発明の実施形態の電源アダプタおよび直流電源装置について説明する。
【００２６】
（発光ダイオードの電流−電圧特性）
本発明は、発光ダイオード（ＬＥＤ）を用いるので、まず、発光ダイオードの電流−電圧特性について説明する。図１は発光ダイオードの電流−電圧特性図を示す。図１が示すように、発光ダイオードは、半導体を用いたｐｎ接合構造をしており、アノードからカソードの向かう順方向に所定電圧（順方向下降電圧）を超える前は、電圧を上げても電流は流れず発光もせず、所定電圧を超えると電圧上昇に対する電流の流れ方が急になり、電流量に応じて電子が正孔に再結合する量を増大するとともに、電子の一部が持つエネルギーが外部へ光となって放出される特性を有している。この境界となる電圧Vを順方向下降電圧あるいは障壁電圧と呼んでいる。白色発光ダイオード、赤色発光ダイオードの順方向下降電圧はそれぞれ３．０９Ｖ、２．２２Ｖと計算されている。
【００２７】
（第１の実施形態の電源アダプタ）
図２は本発明の第１実施形態に係る電源アダプタ１０の基本構成を示す図である。電源アダプタ１０は、１２Ｖ電池電源２の出力端３に赤色ＬＥＤであるＬ１〜Ｌ７を直列に接続した直列ＬＥＤ列形状の発光ダイオードアレイ１を、アノード側を電池電源２の＋端子に、カソード側を―端子に取り付けて、閉回路を形成するように構成される。
【００２８】
図２では、二次電池１が１２Ｖの電池電源が用いられるとともに、発光ダイオードアレイ１には７個の赤色ＬＥＤが用いられる場合を示しており、赤色発光ダイオードの順方向下降電圧（障壁電圧）値が２．２２Ｖであることから、７個の赤色発光ダイオード１１〜１７を直列接続して形成される電源アダプタの合成障壁電圧は略１５Ｖとなり、電池電源の１２Ｖより大である。この状態で電源の内部抵抗を減少できるが、実際に本発明の電源アダプタを適用する場合は、後述の図３のような実施形態にすることでさらに内部抵抗を低減させることができる（詳細は後述する）。
【００２９】
発光ダイオードアレイ１は、複数個の発光ダイオード（ＬＥＤ）を直列に接続して合計順方向下降電圧値（白色発光ダイオード１個当たりの順方向下降電圧値２．２Ｖ×発光ダイオードの個数）が電源電圧値よりも所定量大きい値（例えば３〜５Ｖ）となるように設定されることが好ましい。例えば、複数個の赤色発光ダイオードの合成順方向下降電圧値を電源電圧値の１２Ｖに近づけると、発光ダイオードの順方向下降電圧値のばらつきや劣化により、１つまたは複数の赤色発光ダイオードが発光してしまう虞があるから、合計順方向下降電圧値が電源電圧値よりも３Ｖ大きくなるように赤色発光ダイオードの個数が設定されていてもよい。
【００３０】
たとえば複数個の赤色ＬＥＤを直列接続してなる発光ダイオードアレイ１は、一方の端位置の赤色発光ダイオードＬ１のアノード（陽極）が、二次電池の陽極端子と負荷抵抗の端子とを接続している給電線の中間点（必ずしも中点でなくともよい、以下同じ）に接続され、他方の端位置の赤色発光ダイオードのカソード（陰極）が、二次電池の陰極端子と負荷抵抗の端子とを接続している給電線の中間点に接続されていて、二次電池の電流が赤色発光ダイオードＬ１〜Ｌ７に対し順方向にながれるように設けられている構成をとることもできる。
【００３１】
発光ダイオードアレイ１は、基盤（不図示）に７個の赤色発光ダイオードＬ１〜Ｌ７を並べて設け、基盤に形成したパターン配線により７個の赤色発光ダイオードＬ１〜Ｌ７を直列に接続し、２本の給電線の中間点と接続する２つの端子を備えた構成とするのが好ましい。
【００３２】
なお、上記の例において赤色発光ダイオードに替えて白色発光ダイオードを用いる場合には、複数個の発光ダイオード合計順方向下降電圧値（白色発光ダイオード１個当たりの順方向下降電圧値３．０９Ｖ×発光ダイオードの個数）が二次電池１の最高出力電圧値よりも３〜５Ｖ大きくなるように白色発光ダイオードの個数を設定することが好ましい。したがって、この場合には、発光ダイオードアレイは、５個の白色発光ダイオードを直列接続して構成することが好ましい。
【００３３】
（第１の実施形態の変形例）
本発明は、ＤＣ電源ばかりでなく、ＡＣ電源の内部抵抗の低減にも適用できる。すなわち、図１において、二次電池１がＡＣ電源と入れ替わる構成をとることが可能である。
【００３４】
ＡＣ電源の内部抵抗の低減にも適用できる電源アダプタは、交流電源装置の２つの端子と、負荷抵抗の２つの端子とを閉回路を構成するように接続する２本の給電線の各中間点同士を短絡するように設けられる複数個の発光ダイオードを直列に接続した発光ダイオードアレイを電源電圧値×√２よりも所要大きい合計順方向下降電圧値を有する回路として構成される。
【００３５】
ＡＣ電源に電源アダプタを付設すると、ＡＣ電源の内部抵抗も低減でき、電源に乗るノイズを低減できると考えられ、音響機器電源に本発明を適用すれば音響改善を達成することができる。同様に、映像機器電源に本発明を適用すれば映像品質の改善が期待できる。
【００３６】
電源の内部抵抗が減少することは電源インピーダンスが減少したことになり、特にＡＣ電源に外部ノイズが重畳し難くなり、音響機器の電源に本発明の電源アダプタを取付けることにより大変クリアな音響再生をすることができる。
【００３７】
（第２の実施形態の電源アダプタ）
図３は本発明の第２実施形態に係る電源アダプタ１０Ａの基本構成を示す図である。電源アダプタ１０Ａは、直列ＬＥＤ列を複数並列接続にした第２実施形態に係る発光ダイオードアレイ１Ａを電源出力端３（図示しない）と電源負荷６との間に挿入接続された配列によって構成される。より詳細には、電池または直流電源装置の２つの端子（図示しない）と、負荷抵抗６の２つの端子（図示しない）とを閉回路を構成するように接続する２本の給電線の各中間点（中点とは限られない）同士を、複数個の発光ダイオード（ＬＥＤ）を直列に接続されたＬＥＤ列（発光ダイオードアレイ）によって短絡するように設け、この発光ダイオードアレイを並列配置した構成であり、電源電圧値よりも所定量大きい合計順方向下降電圧値を有する回路である。
【００３８】
図１に示す二次電池１に比べて直流電源装置の出力電圧および出力電流が大きいので、電源アダプタ１０Ａとして、複数個の発光ダイオード（ＬＥＤ）を直列に接続してなる発光ダイオードアレイの合計順方向下降電圧値を直流電源装置１０Ａの電源電圧値よりも所定量大きくなるように設けかつ複数の発光ダイオードアレイを並列に設けることで、直流電源装置からの電流が複数の発光ダイオードアレイに分散するようにした回路である。
【００３９】
（第２の実施形態の変形例）
第２の実施形態についても、ＡＣ電源の内部抵抗の低減にも適用できる。すなわち、図２において、直流電源装置がＡＣ電源と入れ替わる。ＡＣ電源の場合は、上記直列ＬＥＤ列（発光ダイオードアレイ）の合成障壁電圧が、ＡＣ電源電圧の√２倍以上になるような個数のＬＥＤを直列に接続した直列ＬＥＤ列を用いれば良いことが検証により確認できた。
【００４０】
すなわち、本願の第２の実施形態に係りＡＣ電源の内部抵抗の低減にも適用できる電源アダプタは、交流電源装置の２つの端子と、負荷抵抗の２つの端子とを閉回路を構成するように接続する２本の給電線の各中間点同士を短絡するように設けられる複数個の発光ダイオードを直列に接続して電源電圧値×√２よりも所定量大きい合計順方向下降電圧値を有する発光ダイオードアレイを複数並列に有する回路を備えて構成される。
【００４１】
ＡＣ電源に電源アダプタを付設すると、ＡＣ電源の内部抵抗も低減でき、電源に乗るノイズを低減できると考えられ、音響機器電源に本発明を適用すれば音響改善を達成することができる。同様に、映像機器電源に本発明を適用すれば映像品質の改善が期待できる。
【００４２】
電源の内部抵抗が減少することは電源インピーダンスが減少したことになり、特にＡＣ電源に外部ノイズが重畳し難くなり、音響機器の電源に本発明の電源アダプタを取付けることにより大変クリアな音響再生をすることができる。
【００４３】
（二次電池、直流電源装置、および交流流電源装置の各内部抵抗と、電源アダプタの付設の有無）
上述した充放電可能な二次電池、直流電源装置、および交流流電源装置の内部抵抗は内部抵抗計測装置により計測することができる。この場合、例えば、図１の回路において、発光ダイオードアレイ１と負荷抵抗４との間に位置して２本の給電線を短絡するように内部抵抗計測装置の２つの端子（プローブ）を接続する。
【００４４】
図３の状態で、実際に１２Ｖ３６Ａ（５時間率）の車用バッテリー電源５の内部抵抗を内部抵抗計測装置４にて計測した例では、試用した本発明の一実施形態に係る電源アダプタ（赤色ＬＥＤ９個直列を７列に並列接続、白色ＬＥＤ１０個直列を１０列に並列接続、計  １，４４１個のＬＥＤ）が無い状態では１０．４１ｍΩであったが、本発明の一実施形態に係る電源アダプタを付加した状態では８.６ｍΩと低減することができた。特に本発明の一実施形態に係る電源アダプタを付けて５〜６回充放電を繰り返すと更に低減効果が増大し、例えば１．２Ｖの充電電池に本発明一実施形態に係る５０個の赤色ＬＥＤ（障壁電圧２．２２Ｖ）を並列接続した電源アダプタを接続した場合、接続前の内部抵抗４６１．９ｍΩに対して１１０．４ｍΩと内部抵抗が格段に減少した。
【００４５】
車に用いるバッテリでは、バッテリの性能を表す指標として内部抵抗のほかにＣＣＡがある。ＣＣＡとは、コールド・クランキング・アンペアの略で、アメリカでのバッテリ規格の表し方である。マイナス１８℃の環境で、端子電圧が７．２Ｖまで低下するような放電を３０秒間行った場合に、バッテリ内部にどれだけ電気を出力する能力があるかを判断する指標である。
【００４６】
本発明の一実施形態に係る電源アダプタの効果を車用のバッテリの応用した場合について検証してみた。前述した車用の１２Ｖ３６Ａバッテリー電源に、前述した１．４４１個の本発明の一実施形態に係る電源アダプタを付加して５〜６回充放電を繰り返した場合と、付加しない場合とのＣＣＡを計測・比較した。電源アダプタを付加する前の内部抵抗はＣＣＡは２４０、電源アダプタを付加した場合のＣＣＡは３８４、と明らかに大幅改善が見られた。
【００４７】
上記の各種実験・検証により明らかなように、本発明の一実施形態に係る電源アダプタによれば、内部抵抗を低減させることができる。
【００４８】
電源の内部抵抗が減少することは電源インピーダンスが減少したことになり、特にＡＣ電源に外部ノイズが重畳し難くなり、音響機器の電源に本発明の電源アダプタを取付けることにより大変クリアな音響再生をすることができる。
【００４９】
（第３の実施形態）
本発明の第３の実施形態は、半導体の電流がいわゆる「流れていない」状態（ＬＥＤを採用した場合には、光っていない状態）に着目したことから発展した技術思想である。すなわち、これまでは誰も着目していなかった、半導体が、これに繋がっている充放電可能電池に対して何らかの影響を及ぼしている、ということを発見したところに本願の第３の実施形態の主眼が存在する。
【００５０】
図４は、本発明の第３の実施形態に係り、発光ダイオードの電流−電圧特性図において、ＯＦＦ状態を説明するための概念図である。同図において、「Ａ」で示されるのは、電圧を印加したスタート時点（すなわち電流値がゼロの初期状態時点）であり、「Ｂ」で示されるのは、電圧を印加した場合に電流値が経時的に変化するタイミングのうち、電流値が実質的に立ち上がる（ゼロとは有意の差分が認められる程度の数値を示す）時点をいう。
【００５１】
図４に示されるように、「ＯＦＦ状態」とは、電流値がゼロから（実質的に）ＯＮになるまでの一定時間における該半導体の状態をいい、たとえば、図４における、Ａ〜Ｂの間の状態をいう。これまでの技術思想においては、半導体に電流が流れ始めるまでのこの状態には積極的役割を認識されていなかったのに対して、本願の第３の実施形態では、このＯＦＦ状態における半導体が充放電可能電池に対して、一定の時間に亘って累積的に及ぼす影響に着目した。さらに、この影響が各種機器等を活性化させる能力を持つことを発見し、これを基に産業上の利用価値を発生させる装置を創造したものである。
【００５２】
つまり、このＯＦＦ状態は、たとえば半導体がＬＥＤだとすると、発光しない状態であり、表面上は何も起こっていないように見える。しかし、本願発明者は、種々の繰り返し実験・検証の結果、この一見何も起こっていないＯＦＦ状態において、半導体と充放電可能電池との間で何らかの物理的／化学的現象が起こっている、と仮説を立てた。この仮説にしたがって、各種自動車やオーディオ等を対象に実証実験を行った結果、上記仮説は正しく、かつ、この物理的／化学的現象とは、充放電可能電池を蘇らせる、別言すれば、いわば若返らせる（Revitalize）効果に関係するものであると推測できる、との結論に至った。
【００５３】
そこで、本発明者は本発明の第３の実施形態として、これを産業上利用すべく、半導体利用活性化装置として、また、その一形態としての電源アダプタ、（直流／交流）電源装置、として実現化したものである。この第３の実施形態に係る半導体利用活性化装置は、充放電可能電池と、この充放電可能電池の＋側に接続されるアノード及び該電池の−側に接続されるカソードを持った半導体と、この半導体の電流のＯＦＦ状態における該半導体が充放電可能電池に対して与える活性化影響が経時的に蓄積される手段とを備えて構成される。
【００５４】
上記構成を備えることにより、半導体のＯＦＦ状態の経時的累積影響により、充放電可能電池が再活性化される。なお、上記において、半導体としては、ＬＥＤに限られるものではなく、あらゆる種類の半導体を含み得る。つまり、上記の充放電可能電池に対して与える活性化影響を持つという性質は半導体全般に対していえるものであると推測される。したがって、半導体としては、上述したＬＥＤでなくでもよい。上記でＬＥＤを採用した例を説明したのは、ＯＮ状態が可視的に確認できるためである。
【００５５】
また、充放電可能電池としては、鉛蓄電池、リチウムイオン二次電池、リチウムイオンポリマー二次電池、ニッケル・水素蓄電池、ニッケル・カドミウム蓄電池、ニッケル・鉄蓄電池（エジソン電池）、ニッケル・亜鉛蓄電池、酸化銀・亜鉛蓄電池、コバルトチタンリチウム二次電池で代表される一般型、レドックス・フロー電池、亜鉛・塩素電池、亜鉛・臭素電池で代表される液循環型、アルミニウム・空気電池、空気亜鉛電池、空気・鉄電池で代表されるメカニカルチャージ型、ナトリウム・硫黄電池、リチウム・硫化鉄電池で代表される高温動作型のいずれをも含み得るし、また、これらに限定されるものでもない。
【００５６】
以上述べてきたように、本発明を実際に応用する場合は、各種のバリエーションが考えられるが、それらはすべて本発明の技術思想に含まれるものである。
【産業上の利用可能性】
【００５７】
本発明によれば、電源の構造や組成を変更することなく、充放電可能な二次電池または直流電源装置（電源）の外部に付加する形で電源の内部抵抗を低減するという効果を有し、したがって、消耗しかかって内部抵抗が増大し、電流容量が減少してしまった二次電池等の出力端に、本発明の電源アダプタを取付ければ電流容量が復活増大して延長使用することができる。
【００５８】
本発明者は、本発明を車用のバッテリ、特になかなか充電できなかった中古バッテリ、に本発明の電源アダプタを接続したところ、内部抵抗が減少したためか、ほとんどを再度実用化させることができることを確認した。また、多少弱った状態のバッテリに本アダプタを接続したところ、全て新品同様のＣＣＡ値を示して復活させることができた。上記の例のように本発明はバッテリを使用する交通、動力機械分野に多大な利用可能性をもたらすものである。更には音響機器の電源に応用することにより音響改善やノイズ低減が可能なことから産業上の広い応用可能性が考えられる。
【００５９】
また、上記第３の実施形態によれば、半導体のこれまでに着目されていなかったＯＦＦ領域を積極的に活用することで充放電可能電池を蘇らせる、別言すれば、いわば若返らせる（Revitalize）効果を有するので、太陽電池をはじめ、各種産業及び産業基盤において、絶大なる利用可能性が存在することが予想される。
【符号の説明】
【００６０】
１，１Ａ…発光ダイオードアレイ、２…二次電池，直流電源部、３…陽極端子，陰極端子、４，６…負荷抵抗、５…直流電源部／交流電源部、１０，１０Ａ…電源アダプタ、１１〜１７…赤色発光ダイオード
【要約】      （修正有）【課題】電源の構造や組成を変更することなく、電源の外部に付加する形で電源の内部抵抗を低減する電源アダプタ、直流電源装置および交流電源装置を提供する。【解決手段】第１の形態の電源アダプタ１０は、充放電可能な二次電池または直流電源装置２の２つの端子３と、負荷抵抗４の２つの端子とを閉回路を構成するように接続する２本の給電線の各中間点同士を短絡するように設けられる複数個の発光ダイオードＬ１〜Ｌ７を直列に接続して電源電圧値よりも所定量大きい合計順方向下降電圧値を有する発光ダイオードアレイ１からなる。第２の形態の電源アダプタ１０は、複数個の発光ダイオードを直列に接続して電源電圧値よりも所要大きい合計順方向下降電圧値を有する発光ダイオードアレイを複数並列に有する発光ダイオードアレイからなる。【選択図】図２【図１】
0006692537.tif 000002
【図２】
0006692537.tif 000003
【図３】
0006692537.tif 000004
【図４】
0006692537.tif 000005